(57)【特許請求の範囲】
【請求項１】
袋正面から一方の袋側面を経て袋背面に亘って位置した一枚の本体シートと他方の袋側面に位置して一方の袋側面側に折り込み可能に設けられた一枚のマチシートとで袋胴部が形成されて、この袋胴部における本体シートの側辺とマチシートの側辺とをヒートシールしてなる側辺シール部分に取っ手が設けられ、
前記袋胴部の上部には、折り込んだ前記マチシートを間にして二つ折りにより相対した本体シートの上辺に沿ってヒートシールしてなる上辺シール部分を備えて、この上辺シール部分の前記一方の袋側面側に注出口栓を有する袋上部が形成され、
前記袋胴部の下部には、折り込んだ前記マチシートを間にして二つ折りにより相対した本体シートの下辺に沿ってヒートシールしてなる下辺シール部分を備えて、この下辺シール部分を中心とした袋正面と袋背面との離間により、本体シートとマチシートとが下辺シール部分側に向けて回り込んで前記袋正面と袋背面とが離間した方向と袋幅方向とに広がってなる袋底部が形成され、
前記袋底部での前記一方の袋側面側には、該袋底部の本体シートにおける一方の側面側のシートと袋胴部の本体シートにおける袋底部側のシートとをヒートシールしてなる袋底側辺シール部分を備え、
前記袋底側辺シール部分は前記袋正面と袋背面とが離間した方向に広がりを有して、一方の袋側面が、前記袋底側辺シール部分側を下辺として起立しているとともに、起立した前記一方の袋側面の上方に前記注出口栓が位置され、
前記一方の袋側面とこの袋側面の上方となる注出口栓とが、前記取っ手とは袋幅方向で反対となる側に配置されていることを特徴とする自立包装袋。
【請求項２】
上記袋底側辺シール部分は、上記一方の袋側面における袋胴部の下部側のシート部分と、袋正面と袋背面とのそれぞれにおける袋胴部の下部側のシート部分とをヒートシールしてなり、該袋底側辺シール部分は袋底部側に折曲して袋底部の下面に貼り合わされていて、前記袋底側面シール部分を含む袋底部の平面視形状が略矩形とされている請求項１に記載の自立包装袋。
【請求項３】
上記袋底側辺シール部分は、上記一方の袋側面における袋胴部の下部側のシート部分と、袋正面と袋背面とのそれぞれにおける袋胴部の下部側のシート部分とをヒートシールして三角形状のシール部分を形成した後に、三角形状のシール部分における前記一方の袋側面の下辺に沿った部分以外を切除して一方の袋側面の下辺に沿ったシール部分を帯状にしてなるものであり、この袋底側面シール部分を含む袋底部の平面視形状が略矩形とされている請求項１に記載の自立包装袋。
【請求項４】
上記袋底部には、上記一方の袋側面を略起立状態にする傾倒抑止手段が備えられていて、
前記傾倒抑止手段は上記下辺シール部分であり、折り込んだマチシートを間にして二つ折りにより相対した本体シートの下辺に沿ってヒートシールした前記下辺シール部分の傾斜角度を袋胴部の高さ方向に対して直角または鋭角としてなるものである請求項１から３の何れか一項に記載の自立包装袋。
【発明の詳細な説明】
【技術分野】
【０００１】
本発明は、シーラント層を片面に有する積層構成の合成樹脂製シートを所要部分でヒートシールして上部隅に注出口栓を有する自立性が良好な自立包装袋に関するものである。
【背景技術】
【０００２】
合成樹脂製シートの所要部分をヒートシールして収容物、例えば液体などを収容することができる包装袋が従来から各種提案されている。そして、このような包装袋の内、広がりのある袋底部を袋胴部の下部として備えて自立できる包装袋がある。
【０００３】
例えば特許文献１に示されている包装袋ではピロータイプの製袋の応用からなるものであって、一枚の合成樹脂製シートを筒状にしてそのシートの縦方向の側辺同士を袋胴部での袋背面側で重ね合わせてヒートシールするとともに、袋胴部の下部でその袋胴部が扁平になるように重ね合わせることで相対するシートの下辺同士をヒートシールしている。そして、袋胴部での袋正面と袋背面とを離間することで下辺同士をヒートシールした部分が中心となるようにして袋正面側から袋底に回り込むシートと袋背面側から袋底に回り込むシートで広がりのある袋底を形成している。
【０００４】
さらに下辺同士をヒートシールした部分に沿った方向で対向する部分それぞれでは、袋正面側からと袋背面側からとから回り込んだ上記シートと袋側面での袋底側のシートとが重なり合って略三角形状に張り出る状態として、この三角形状となった部分の基端をヒートシールして余剰箇所を切除することで袋底を略矩形状にして自立できる状態としており、収容物を充填した後に袋胴部の上部を扁平にしてシートの上辺同士をヒートシールすることで封止しているものである。
【０００５】
また、特許文献２に示されている収納袋では一枚のシートを扁平なスリーブ状にして縦シールのヒートシールを行なうとともに、一部分を内側に折り入れてマチとし、下辺を線状にヒートシールしてから充填により袋底が開いて自立性が付与され、上辺をヒートシールして封止するものである。
【０００６】
また、特許文献３では上記特許文献１と同じようにピロータイプの製袋の応用からなるものであって、袋底において側方に張り出る三角形状部分の基端をヒートシールして余剰部を切除して袋底を略矩形とした包装袋が示されているとともに、スリーブ状とした袋胴部での対向する袋側面となる箇所それぞれを内側に折り込んでマチを付けるガセット形態の包装袋が示されている。
【０００７】
また、特許文献４では袋側面となる部分にシートを折り込んでマチを構成するとともに、袋正面と袋側面との間及び袋背面と袋側面との間については縦方向にヒートシールを行なって自立性を向上させるようにしており、そして、片方の袋側面側のヒートシールされたサイドシールに取っ手を一体に形成した包装袋が示されている。
【先行技術文献】
【特許文献】
【０００８】
【特許文献１】特開２００１−３２８６４４号公報
【特許文献２】特許第３３６４１６５号公報
【特許文献３】特開２００２−３０８２８９号公報
【特許文献４】特開平０８−０２６３０２号公報
【発明の概要】
【発明が解決しようとする課題】
【０００９】
近年、合成樹脂製シートの所要部分をヒートシールして製袋される包装袋に関し、手で持って注出作業などができる重さの範囲でその収容量を大きくすることが望まれるようになってきている。
【００１０】
しかしながら、上述した従来の包装袋について収容量の増大に応じて耐久性のある合成樹脂製シートを採用した場合、袋正面や袋背面に袋胴部を構成するシートを貼り合わせた縦のシール部分が位置し、このシール部分が袋底にも及ぶ構成となり、そしてこの縦のシール部分の剛性が高いために曲がり難くなっていることから、収容物の充填に際して袋底に広がりが得られるように開いて充填を行なったとしても、前記シール部分があるシートとこれに連続する袋底とするシートとの間で適切な曲がりが生じないことから袋底が平面的に広がりのある形状とならずに自立し難い包装袋となる。
【００１１】
また、自立性を確保する方法としては袋底部に底マチを設け、袋側面のマチと底マチとを備える包装袋が検討されるが、合成樹脂製シートの貼り合わせによって得られる包装袋では底マチと袋側面のマチとが重なった部分から収容物の漏れが生じ易くなったり、重なった部分の落下衝撃性が極端に低くなって破袋してしまうという問題がある。
【００１２】
そこで本発明は上記事情に鑑み、袋胴部にマチを設けることで袋底に平面的な広がりを形成し易くなる点を活かしつつ、袋胴部での袋正面中央や袋背面中央に設けられる縦シールが袋底に及ぶ構成とならないようにすることを課題とし、平面的な広がりを有する袋底を備えて自立性が良好な包装袋を提供することを目的とするものである。
【課題を解決するための手段】
【００１３】
（請求項１の発明）
本発明は上記課題を考慮してなされたもので、袋正面から一方の袋側面を経て袋背面に亘って位置した一枚の本体シートと他方の袋側面に位置して一方の袋側面側に折り込み可能に設けられた一枚のマチシートとで袋胴部が形成されて、この袋胴部における本体シートの側辺とマチシートの側辺とをヒートシールしてなる側辺シール部分に取っ手が設けられ、
前記袋胴部の上部には、折り込んだ前記マチシートを間にして二つ折りにより相対した本体シートの上辺に沿ってヒートシールしてなる上辺シール部分を備えて、この上辺シール部分の前記一方の袋側面側に注出口栓を有する袋上部が形成され、
前記袋胴部の下部には、折り込んだ前記マチシートを間にして二つ折りにより相対した本体シートの下辺に沿ってヒートシールしてなる下辺シール部分を備えて、この下辺シール部分を中心とした袋正面と袋背面との離間により、本体シートとマチシートとが下辺シール部分側に向けて回り込んで前記袋正面と袋背面とが離間した方向と袋幅方向とに広がってなる袋底部が形成され、
前記袋底部での前記一方の袋側面側には、該袋底部の本体シートにおける一方の側面側のシートと袋胴部の本体シートにおける袋底部側のシートとをヒートシールしてなる袋底側辺シール部分を備え、
前記袋底側辺シール部分は前記袋正面と袋背面とが離間した方向に広がりを有して、一方の袋側面が、前記袋底側辺シール部分側を下辺として起立しているとともに、起立した前記一方の袋側面の上方に前記注出口栓が位置され、
前記一方の袋側面とこの袋側面の上方となる注出口栓とが、前記取っ手とは袋幅方向で反対となる側に配置されていることを特徴とする自立包装袋を提供して、上記課題を解消するものである。
【００１４】
（請求項２の発明）
そして、本発明によれば、上記袋底側辺シール部分は、上記一方の袋側面における袋胴部の下部側のシート部分と、袋正面と袋背面とのそれぞれにおける袋胴部の下部側のシート部分とをヒートシールしてなり、該袋底側辺シール部分は袋底部側に折曲して袋底部の下面に貼り合わされていて、前記袋底側面シール部分を含む袋底部の平面視形状が略矩形とされていることが良好である。
【００１５】
（請求項３の発明）
また、本発明によれば、上記袋底側辺シール部分は、上記一方の袋側面における袋胴部の下部側のシート部分と、袋正面と袋背面とのそれぞれにおける袋胴部の下部側のシート部分とをヒートシールして三角形状のシール部分を形成した後に、三角形状のシール部分における前記一方の袋側面の下辺に沿った部分以外を切除して一方の袋側面の下辺に沿ったシール部分を帯状にしてなるものであり、この袋底側面シール部分を含む袋底部の平面視形状が略矩形とされていることが良好である。
【００１６】
（請求項４の発明）
また、本発明によれば、上記袋底部には、上記一方の袋側面を略起立状態にする傾倒抑止手段が備えられていて、
前記傾倒抑止手段は上記下辺シール部分であり、折り込んだマチシートを間にして二つ折りにより相対した本体シートの下辺に沿ってヒートシールした前記下辺シール部分の傾斜角度を袋胴部の高さ方向に対して直角または鋭角としてなるものであることが良好である。
【発明の効果】
【００１７】
（請求項１の発明の効果）
請求項１の発明によれば、袋底部が平面方向に広がりのある部分として形成され、さらに注出口栓がある側の一方の袋側面が起立した状態となっているので、テーブルや棚などに置いた時には安定して自立する包装袋となり、収容物を安全に収容させておくことができる。そして、取っ手を備えるとともにその取っ手とは反対となる側に注出口栓があり、収容物を注出するときには取っ手に手を掛けて傾けることで、ブロー成形された容器のように簡単にして安全に収容物を注ぎ出すことができ、大容量であっても取り扱いが容易な包装袋が提供できるという効果がある。
【００１８】
（請求項２の発明の効果）
請求項２の発明によれば、一方の袋側面の下辺側をシール部分として硬さを高めて袋底部を略矩形状としているので、包装袋が自立する状態がより安定するものとなる。
【００１９】
（請求項３の発明の効果）
請求項３の発明によれば、請求項２の発明と同様に一方の袋側面の下辺側をシール部分として硬さを高めて袋底部を略矩形状としているので、包装袋が自立する状態がより安定するものとなる。
【００２０】
（請求項４の発明の効果）
請求項４の発明によれば、注出口栓が位置する側の一方の袋側面が略起立とされるので、この包装袋が安定して自立するようになる。
【図面の簡単な説明】
【００２１】
【図１】本発明に係る自立包装袋の一例を一方の袋側面の斜め上方から見た状態で示す説明図である。
【図２】同じく一例を他方の袋側面の斜め上方から見た状態で示す説明図である。
【図３】同じく一例を袋底部側から見た状態で示す説明図である。
【図４】一例における一方の袋側面の下部のシート部分と袋正面及び袋背面の下部のシート部分とをヒートシールしてなる袋底側辺シール部分を示す説明図である。
【図５】切除して形成された袋底側辺シール部分を示す説明図である。
【図６】マチシートを間にして袋胴部の下辺をヒートシールして傾倒抑止手段が形成された状態と、袋底側辺シール部分が得られる部分の１／２長さ及びマチ部の１／２長さとを示す説明図である。
【図７】袋底側辺シール部分の長さ及びマチ部長さを示す説明図である。
【発明を実施するための形態】
【００２２】
つぎに本発明を図１から図７に示す実施の形態に基づいて詳細に説明する。図中１は自立包装袋で、該自立包装袋１は図１に示されているように袋胴部２の上部が袋幅方向に亘って扁平な状態にして閉じられていて、その一端側に注出口栓３が取り付けられているとともに、袋胴部２の下部は平面方向に広がりのある略矩形形状にして閉じられており、テーブルや棚などの上に置いたときに安定して自立できるようにしているものである。そして、自立包装袋１は前記注出口栓３以外の部分が合成樹脂製シートからなるもので、この合成樹脂製シートは片面をシーラント層とした積層シートであって、所要部分をヒートシールして貼り合わせることで有底の袋状としている。
【００２３】
（袋胴部）
上記袋胴部２は、袋正面４から一方の袋側面５を経て袋背面６に亘って位置する一枚の本体シート７と、前記一方の袋側面５と袋幅方向で相対する他方の袋側面８に位置してその一方の袋側面５側に折り込み可能とされた一枚のマチシート９とからなるものである。本体シート７とマチシート９とは共に同じ合成樹脂製シートであって、本体シート７とマチシート９との相対する辺部をヒートシールして袋胴部２が形成され、さらに本体シート７の側辺とこれにヒートシールにより貼り合わされているマチシート９の側辺との側辺シール部分１０それぞれが外方に延設され、図２に示すようにこの側辺シール部分１０それぞれに切り込みなどを行なって、手掛けできる取っ手１１を形成している。
【００２４】
（袋上部）
袋胴部２の上部には上述したように扁平な状態として閉じられている袋上部１２が形成されていて、二つ折りとした本体シート７の間に折り込んだマチシート９を配し、マチシート９を間にした状態で本体シート７の相対する上辺に沿ってヒートシールをして上辺シール部分１３を備えるとともに、前記ヒートシールに際して事前に一方の袋側面５側となる部分に上記注出口栓３の取付部を本体シート７の上辺の間に挟み込みして溶着することで、注出口栓３が上辺シール部分１３での一方の袋側面５側に有するようにして袋上部１２が形成されている。なお、袋上部１２での注出口栓３が取り付けられている部分以外の部分は包装袋１に収容物を充填後にヒートシールが行なわれる。
【００２５】
（袋底部）
袋胴部２の下部にはこの自立包装袋１をテーブルや棚などの平面に正置したときに自立することができるようにするために平面方向に広がった袋底部１４を形成して、この袋底部１４によって袋胴部２の下部が閉じられている。袋底部１４は、図３に示すように折り込んだマチシート９を間にして二つ折りにより相対した本体シート７の下辺に沿ってヒートシールをした下辺シール部分１５を備えている。この下辺シール部分１５を得るためのヒートシールは、マチシート９の取付のためのヒートシールと同時に行なうことが可能である。
【００２６】
そして、袋底部１４では、上記下辺シール部分１５の位置を通る立平面を中心として袋胴部２での袋正面４と袋背面６との間が開くように袋胴部２の内側を広げ、袋胴部２での袋正面４と袋背面６とを離間させることで、本体シート７における袋正面４につながる袋胴部２の下部側のシート部分１６と、袋背面６につながる袋胴部２の下部側のシート部分１７とが下辺シール部分側に向けて回り込むようになり、また、マチシート９における他方の袋側面８につながる袋胴部２の下部側のシート部分１８も下辺シール部分１５側に向けて回り込むようになり、これによって袋底部１４を、袋正面４と袋背面６とが離間した方向と袋幅方向とに広がってなる略矩形状に形成している。
【００２７】
袋底部１４の一方の袋側面５側には、ヒートシールをして剛性が高められた袋底側辺シール部分１９を上記袋正面４と袋背面６との離間方向に沿った方向に広がりを有した状態にして備えている。そして、図１から図３に示すように自立包装袋１では上記一方の袋側面５が前記袋底側辺シール部分１９側を下辺として起立した状態となっていて、略矩形状とされた袋底部１４の前記剛性が高い袋底側辺シール部分１９を接地させて、また、上記シート部分１６とシート部分１７と他方の袋側面８側のシート部分１８を接地させることで安定して自立するものとなる。
【００２８】
また、一方の袋側面５の上方に注出口栓３が位置されていて、注出口栓３と一方の袋側面５とに対して袋幅方向で反対側に配置されている上記取っ手１１に手を掛けて持ち上げ、注出口栓３が下となるように傾けることで、ブロー容器のようにして収容物を簡単に注出することができるものとなる。
【００２９】
（袋底側辺シール部分）
上記袋底側辺シール部分１９は、袋底部１４の形成に際して袋正面４と袋背面６との間を開くことで、一方の袋側面５における袋胴部２の下部側のシート部分２０が、図４に示されているように袋正面４と袋背面６とのそれぞれにおける袋胴部２の下部側の上記シート部分１６、１７に重なり、前記シート部分２０をシート部分１６、１７に重ね合わせた状態でヒートシールしてなるものであり、略三角形状にして上述のように袋正面４と袋背面６とが離間した方向で広がりを有している。
【００３０】
そして、上記略三角形状とした袋底側辺シール部分１９が袋底部１４側に折曲されて袋底部１４の下面に貼り合わされており、この袋底側辺シール部分１９を含む袋底部１４の平面視形状を上述のように略矩形状としている。
【００３１】
なお、上記実施の例においては袋底側辺シール部分１９を略三角形状のまま袋底部１４の下面に重ね合わせたものとして説明したが、本発明にあってはこの例に限定されるものではない。図５はその他の例を示していて、上記シート部分２０をシート部分１６、１７に重ね合わせた状態でヒートシールして三角形状のシール部分を形成した後に、その三角形状のシール部分における一方の袋側面５の下辺に沿った部分以外を切除して、一方の袋側面５の下辺に沿ったシール部分を帯状にすることで、この袋底側辺シール部分１９を得ることもできる。この場合も上述のように袋底側辺シール部分１９を含む袋底部１４の平面視形状を略矩形状とする。図４において切除箇所を一点鎖線で示している。また、図４で図示された自立包装袋の形態は、説明上、注出口栓を有するとともに袋胴部上部を閉じた状態で前記三角形状部分が外方に張り出したものとされているが、三角形状とされた部分の袋底部下面への折り重ねは、注出口栓の取付の前に行なうものである。
【００３２】
（下辺シール部分による傾倒抑止手段）
本実施の例において袋底部１４には一方の袋側面５を略起立状態にして袋幅方向での外方に向けて傾倒しないようにする傾倒抑止手段２１が備えられている。前記傾倒抑止手段２１は袋底部１４の袋幅方向であって袋底部１４の中央を通って上記袋底側辺シール部分１９の中央に及ぶ位置となる上記下辺シール部分１５からなるものである。そして、図６に示されているように、折り込んだマチシート９を間にして二つ折りにより相対した本体シート７の下辺に沿ってヒートシールするときに、そのシール箇所の袋胴部２の高さ方向に対する傾斜角度θを直角または鋭角にして前記下辺シール部分１５が得られるようにしている。なお、図６において袋胴部２の高さ方向を矢印にて示した。
【００３３】
袋底部１４が傾倒抑止手段２１を備えて形成されることの有用な点はつぎの通りである。略矩形状となっている袋底部１４に対し、袋上部１２は注出口栓３が存在するものの袋幅方向に沿って平たい扁平な形態となっていることから、一方の袋側面５は袋幅方向での外方に傾いた面として形成される。そして、収容物が充填されている時点では袋胴部２が胴膨れし易く、外方に傾いている一方の袋側面５が胴膨れして袋縦方向にも丸味を帯びた傾斜面となると、この一方の袋側面５の外方への傾きが大きくなって倒れる可能性がある。
【００３４】
そこで本実施の例においては、袋胴部２の高さ方向に対する傾斜角度を直角または鋭角にした下辺シール部分１５からなる傾倒抑止手段２１を備えていて、袋胴部２の高さ方向に対する傾斜角度が開くとしても直角として形成されている下辺シール部分１５からなる傾倒抑止手段２１を備えることで、一方の袋側面５が略起立した形態の自立包装袋が得られ、好ましくは傾倒抑止手段２１を、前記傾斜角度を鋭角にして形成した下辺シール部分１５からなるものとすることで、一方の袋側面５が起立する度合の高い形態の自立包装袋が得られて、この自立包装袋の自立性が頗る良好になる。
【００３５】
実施の例における上記取っ手１１が設けられている側辺シール部分１０それぞれは上辺側で接合されている。このようにすることで側辺シール部分１０に設けられている取っ手１１が近付くこととなり、二つの取っ手に対して片手を掛け易くなる。なお、側辺シール部分１０相互の接合は必ずしも必要とされるものではない。
【００３６】
（マチ部の長さと袋底側辺シール部分の長さ）
袋底部１４は平面視形状が略矩形状であればよい。例えば、袋底部１４においてマチシート９によって形成されるマチ部の長さと、袋底部１４における袋底側辺シール部分１９の長さとを同じ長さとすれば、袋底部１４の平面視形状は略長方形となる。
【００３７】
なお、マチ部の長さは対の取っ手に片手を手掛けできるようにしているため、或る程度良好な長さが想定されているとともに、収容物に対する収容量を片手持ちできる範囲で確保すると、マチ部の長さと袋底側辺シール部分の長さを同じにしても袋底部の平面視形状は略正方形とはなり難い。
【００３８】
また、マチ部の長さと袋底側辺シール部分の長さを同じとした場合、取っ手１１を有する側辺シール部分１０が存在していることから、袋底部１４を略長方形状とした場合に自立包装袋の重心が他方の袋側面８側に偏る可能性がある。その場合には、袋底側辺シール部分１９の長さをマチ部の長さより長くすることで、重心の偏りを無くすことができる。
【００３９】
（マチ部に対する袋底側辺シール部分の長さの検討結果）
そこで、自立包装袋においてマチ部の長さに対する袋底側辺シール部分の長さを変更して、自立性の良否を確認し、自立性が良好となる袋底側辺シール部分の長さを検討した。その結果を表１に示した。
【００４０】
この検討には、図６と図７で示す扁平状態での袋胴部の高さ方向の長さｃを４００ｍｍ、マチ部の１／２長さａを５０ｍｍとし、袋底側辺シール部分の１／２長さｂが異なる８種の包装袋を作成し、５リットルの水を収容物として充填した。そして、８種の包装袋を正置して自立性に問題があるか否かを確認し、評価した。
【００４１】
【表１】
0006728593.tif 000002
【００４２】
袋底部において、マチ部の１／２長さａと袋底側辺シール部分の１／２長さｂとを同じ長さとした場合に自立性があることが判った。また、マチ部の１／２長さａより袋底側辺シール部分の１／２長さｂを長くすることで、重心の偏りを無くすことができる点が判った。
【００４３】
そして、検討の結果から、マチ部の長さと袋底側辺シール部分の長さの関係として好ましい範囲は、ａ≦ｂ≦１．４ａであることが判った。
【００４４】
また、ｂ＝３０ｍｍ、４０ｍｍのときに重心の若干の偏りがあるものの自立性には問題が無いことが確認できた。よって、マチ部の長さと袋底側辺シール部分の長さの関係として、０．６ａ≦ｂ＜ａとしても自立性に問題が無いことが判った。
【００４５】
また、ｂ＝８０ｍｍのときに重心の若干の偏りがあるものの自立性には問題が無いことが確認できた。よって、マチ部の長さと袋底側辺シール部分の長さの関係として、１．４ａ＜ｂ≦１．６ａとしても自立性に問題が無いことが判った。
【符号の説明】
【００４６】
１…自立包装袋
２…袋胴部
３…注出口栓
４…袋正面
５…一方の袋側面
６…袋背面
７…本体シート
８…他方の袋側面
９…マチシート
１０…側辺シール部分
１１…取っ手
１２…袋上部
１３…上辺シール部分
１４…袋底部
１５…下辺シール部分
１６…袋底部での袋正面につながる袋胴部の下部側のシート部分
１７…袋底部での袋背面につながる袋胴部の下部側のシート部分
１８…袋底部での他方の袋側面につながる袋胴部の下部側のシート部分
１９…袋底側辺シール部分
２０…一方の袋側面につながる袋胴部の下部側のシート部分
２１…傾倒抑止手段
【図１】
0006728593.tif 000003
【図２】
0006728593.tif 000004
【図３】
0006728593.tif 000005
【図４】
0006728593.tif 000006
【図５】
0006728593.tif 000007
【図６】
0006728593.tif 000008
【図７】
0006728593.tif 000009